(57)【特許請求の範囲】
【請求項１】
水道水などの原水が流入する原水流入口が接続される基台と、清浄化された水を吐水する吐水パイプと、原水流入口と吐水パイプとの間の流路に着脱自在に配置され原水を清浄化する浄水カートリッジとを具備する水処理装置において、基台に受け台を近接離間する方向に移動自在で且つ離間方向へ付勢手段により付勢した状態で配設すると共に受け台に設けた接続管に基台の原水流入口と連通する流入管を水密的且つスライド自在に接続し、受け台に浄水カートリッジを配置して浄水カートリッジの入口を受け台の接続管の出口に脱着自在に接続し、受け台を接続管を軸として回転自在にし、所定の回転位置において受け台が基台の側への移動が可能になると共に、他の所定の回転位置において受け台が基台の側への移動が不能になるように、ロック手段を具備して成ることを特徴とする水処理装置。
【請求項２】
付勢手段が円錐圧縮コイルバネであることを特徴とする請求項１に記載の水処理装置。
【請求項３】
受け台から突出する接続管の外周でコイルバネの一端部が位置決めされていることを特徴とする請求項２に記載の水処理装置。
【請求項４】
基台に設けた位置決め部でコイルバネの他端部が位置決めされていることを特徴とする請求項２又は３に記載の水処理装置。
【請求項５】
受け台に設けた切欠部と、受け台が所定の回転位置では切欠部に挿通自在であると共に受け台が他の所定の回転位置では受け台の裏面に当接するように基台に設けた第一の突起とで、ロック手段を形成して成ることを特徴とする請求項１乃至４のいずれかに記載の水処理装置。
【請求項６】
基台に設けた第二の突起と、受け台が所定の回転位置では第二の突起の位置に対向しないと共に受け台が他の所定の回転位置では第二の突起に対向するように受け台に突設した足部とで、ロック手段を形成して成ることを特徴とする請求項１乃至５のいずれかに記載の水処理装置。
【請求項７】
受け台に基台と係合して基台から離間する方向への移動を規制する係合部を設けて成ることを特徴とする請求項１乃至６のいずれかに記載の水処理装置。
【請求項８】
足部に係合部を設けて成ることを特徴とする請求項６又は７に記載の水処理装置。
【請求項９】
第一の突起を基台に複数設け、この複数の第一の突起を受け台の接続管を中心として対称に配置して成ることを特徴とする請求項５乃至８のいずれかに記載の水処理装置。
【請求項１０】
第二の突起を基台に複数設けると共に足部を受け台に複数設け、この複数の第二の突起と足部をそれぞれ受け台の接続管を中心として対称に配置して成ることを特徴とする請求項６乃至８のいずれかに記載の水処理装置。
【請求項１１】
受け台に、受け台を回転操作するためのつまみ部を設けて成ることを特徴とする請求項１乃至１０のいずれかに記載の水処理装置。
【発明の詳細な説明】
【０００１】
【発明の属する技術分野】
本発明は、浄水装置やイオン生成装置など、水を清浄化するための浄水カートリッジを具備して形成される水処理装置に関するものである。
【０００２】
【従来の技術】
家庭用の浄水器やアルカリイオン整水器などの水処理装置として、水道水などの原水を連続して流す連続通水式のものが使い勝手の良さから一般に使用されている。このような連続通水式の水処理装置では原水を清浄化する浄水部を交換可能な浄水カートリッジで形成していることが多い。
【０００３】
【発明が解決しようとする課題】
そして水処理装置の本体部に浄水カートリッジを交換可能に取り付けるための方式として、従来から各種のものが提供されているが、浄水カートリッジを水の流路に確実に接続した状態で、浄水カートリッジの取り付けを行なう必要があるため、浄水カートリッジの取り付けの構造が複雑なものが多い。しかしこのように構造が複雑になると、浄水カートリッジの交換の操作が難しくなり、また装置を小型化することが困難になるという問題を有するものであった。
【０００４】
本発明は上記の点に鑑みてなされたものであり、浄水カートリッジの交換が容易であって使い勝手が良く、また小型化することができる水処理装置を提供することを目的とするものである。
【０００５】
【課題を解決するための手段】
本発明の請求項１に係る水処理装置は、水道水などの原水が流入する原水流入口１が接続される基台２と、清浄化された水を吐水する吐水パイプ３と、原水流入口１と吐水パイプ３との間の流路に着脱自在に配置され原水を清浄化する浄水カートリッジ４とを具備する水処理装置において、基台２に受け台５を近接離間する方向に移動自在で且つ離間方向へ付勢手段により付勢した状態で配設すると共に受け台５に設けた接続管６に基台２の原水流入口１と連通する流入管７を水密的且つスライド自在に接続し、受け台５に浄水カートリッジ４を配置して浄水カートリッジ４の入口８を受け台５の接続管６の出口９に脱着自在に接続し、受け台５を接続管６を軸として回転自在にし、所定の回転位置において受け台５が基台２の側への移動が可能になると共に、他の所定の回転位置において受け台５が基台２の側への移動が不能になるように、ロック手段を具備して成ることを特徴とするものである。
【０００６】
また請求項２の発明は、請求項１において、付勢手段が円錐圧縮コイルバネ１０であることを特徴とするものである。
【０００７】
また請求項３の発明は、請求項２において、受け台５から突出する接続管６の外周でコイルバネ１０の一端部が位置決めされていることを特徴とするものである。
【０００８】
また請求項４の発明は、請求項２又は３において、基台２に設けた位置決め部１７でコイルバネ１０の他端部が位置決めされていることを特徴とするものである。
【００１０】
また請求項５の発明は、請求項１乃至４のいずれかにおいて、受け台５に設けた切欠部１１と、受け台５が所定の回転位置では切欠部１１に挿通自在であると共に受け台５が他の所定の回転位置では受け台５の裏面に当接するように基台２に設けた第一の突起１２とで、ロック手段を形成して成ることを特徴とするものである。
【００１１】
また請求項６の発明は、請求項１乃至５のいずれかにおいて、基台２に設けた第二の突起１３と、受け台５が所定の回転位置では第二の突起１３の位置に対向しないと共に受け台５が他の所定の回転位置では第二の突起１３に対向するように受け台５に突設した足部１４とで、ロック手段を形成して成ることを特徴とするものである。
【００１２】
また請求項７の発明は、請求項１乃至６のいずれかにおいて、受け台５に基台２と係合して基台２から離間する方向への移動を規制する係合部１５を設けて成ることを特徴とするものである。
【００１３】
また請求項８の発明は、請求項６又は７において、足部１４に係合部１５を設けて成ることを特徴とするものである。
【００１４】
また請求項９の発明は、請求項５乃至８のいずれかにおいて、第一の突起１２を基台２に複数設け、この複数の第一の突起１２を受け台５の接続管６を中心として対称に配置して成ることを特徴とするものである。
【００１５】
また請求項１０の発明は、請求項６乃至８のいずれかにおいて、第二の突起１３を基台２に複数設けると共に足部１４を受け台５に複数設け、この複数の第二の突起１３と足部１４をそれぞれ受け台５の接続管６を中心として対称に配置して成ることを特徴とするものである。
【００１６】
また請求項１１の発明は、請求項１乃至１０のいずれかにおいて、受け台５に、受け台５を回転操作するための操作用のつまみ部１６を設けて成ることを特徴とするものである。
【００１７】
【発明の実施の形態】
以下、浄水装置としてアルカリイオン整水器を例にとって、本発明の実施の形態を説明する。
【００１８】
図３はアルカリイオン整水器の外観を、図４はアルカリイオン整水器の内部構成を示すものである。アルカリイオン整水器の構成を簡単に説明すると、水道水などの原水を下端の入口８から導入し、清浄化した後、上端の排出口２０から排出する浄水カートリッジ４、浄水カートリッジ４の下流側に設けられる流量センサ２１及びカルシウム添加筒２２、電解隔膜２３で内部を仕切って陽極室２４と陰極室２５が形成され、陽極室２４と陰極室２５にはそれぞれ直流電源が接続された電極２６，２７が配置されると共に流入口２８及び流出口２９，３０を有する電解槽３１、電解槽３１の流出口２９，３０に接続される吐水パイプ３と排水パイプ３２を具備して構成されるものであり、これらはハウジング３３に設けてある。
【００１９】
図１はハウジング３３内に浄水カートリッジ４を脱着自在に取り付ける部分の内部構造を示すものであり、ハウジング３３の底部をなす基台２に円筒状に形成される流入管７を上方へ突出して設けてある。この流入管７の下部内には原水流入口１と通じる流入配管３５が水密的に差し込み接続してある。
【００２０】
受け台５は基台２の上に配置されるものであり、リング状円板の本体板３６の中央部に接続管６を設けることによって形成してある。接続管６は円筒状に形成されるものであり、接続管６は本体板３６の上方と下方へ突出させてあって、本体板３６の上方へ突出する上部の開口部が出口９となるものである。そして接続管６の下部内に基台２の流入管７の上部を被挿することによって、流入管７に沿って上下方向にスライド移動自在に、つまり基台２に近接離間する方向に移動自在に、受け台５を基台２に取り付けるようにしてある。接続管６と流入管７とはスライド自在であるが、両者はＯリングなどを用いて水密的に接続するようにしてある。
【００２１】
この受け台５は上方に、つまり基台２から離間する方向に、付勢手段で弾撥付勢するようにしてある。図１の実施の形態では、付勢手段として、円錐形状の圧縮コイルバネ１０を用い、円錐圧縮コイルバネ１０を基台２と受け台５の間に設けることによって、円錐圧縮コイルバネ１０で受け台５を上方へ弾撥付勢するようにしてある。ここで、基台２と受け台５の間には、浄水カートリッジ４を装着する際にコイルバネ１０を圧縮させるのに必要なスペースの他に、圧縮されたコイルバネ１０の厚みが収まるスペースが必要になる。そして付勢手段として通常の円筒形状の圧縮コイルバネを用いると、円筒圧縮コイルバネではコイル状に巻いたバネ素線が上下方向に重なり合うために、圧縮されて最も縮んだ状態でも、コイルバネの厚みはバネ素線の径の巻き数倍の厚みになる。従って、付勢手段として円筒圧縮コイルバネを用いる場合には、基台２と受け台５の間に必要とするスペースが大きくなって、浄水装置を小型化することが難しくなる。これに対して、円錐圧縮コイルバネ１０はコイル径が徐々に変化する形態で形成されているため、圧縮されるとコイル状に巻いたバネ素線はコイル径の小さいものがコイル径の大きいものの内側に入り込んで、バネ素線が上下方向に重なり合わないようにすることができ、圧縮されて最も縮んだ状態ではバネ素線の径の厚み近くにまでなる。このために、付勢手段として円錐圧縮コイルバネ１０を用いることによって、基台２と受け台５の間に必要とするスペースを小さくすることができ、浄水装置を小型化することが容易になるものである。
【００２２】
上記コイルバネ１０は径の小さい側の端部を受け台５の下面側（裏面側）に突出する接続管６の外周に囲むようにはめ込んである。このようにコイルバネ１０の端部を受け台５の接続管６の外周にはめ込むことによって、コイルバネ１０を位置決めすることができ、受け台５とコイルバネ１０とが位置ずれすることがなくなる。従って浄水カートリッジ４を脱着する際の受け台５の上下移動が滑らかになり、浄水カートリッジ４の脱着の作業性が良くなるものである。
【００２３】
また基台２の上面には流入管７を囲むようにリング状の位置決め部１７が突設してあり、コイルバネ１０は径の大きい側の端部をこの位置決め部１７内にはめ込んで取りつけてある。このようにコイルバネ１０の端部を基台２の位置決め部１７にはめ込むことによって、コイルバネ１０を位置決めすることができ、基台２に対してコイルバネ１０が位置ずれすることがなくなる。従って浄水カートリッジ４を脱着する際の受け台５の上下移動が滑らかになり、浄水カートリッジ４の脱着の作業性が良くなるものである。
【００２４】
また、上記受け台５は、接続管６が基台２の流入管７の外周を回ることによって、接続管６を回転中心の軸として、水平方向に回転自在になっている。さらに受け台５の本体板３６の外周部にはつまみ部１６が設けてあり、このつまみ部１６をつまんで受け台５を回転操作することができるようにしてある。そして受け台５を所定の位置に回転させた状態では、受け台５は基台２に近接する側への移動が可能になり、受け台５を他の所定の位置に回転させた状態では、受け台５は基台２に近接する側への移動が不能になるように、ロック手段を設けてある。
【００２５】
ここで、受け台５の本体板３６の外周部には上下方向に開口する切欠部１１が設けてあり、基台２の上面には第一の突起１２が突設してある。このものにあって、受け台５を所定の位置に回転させて図２のように切欠部１１と第一の突起１２を上下に対向させるようにした状態では、切欠部１１に突起１２が挿通できるので、受け台５は基台２に近接する側への移動が可能であり、また受け台５を他の所定の位置に回転させて切欠部１１と第一の突起１２が上下に対向しないようにした状態では、突起１２が受け台５の裏面に当接するので、受け台５は基台２に近接する側へ移動することが不能になる。従って、この切欠部１１と第一の突起１２によって上記のロック手段を形成することができるものである。
【００２６】
尚、この切欠部１１を受け台５の外周部の複数箇所に設けると共に第一の突起１２を切欠部１１に対応して基台２の複数個所に設けるようにし、この複数の切欠部１１と第一の突起１２をそれぞれ受け台５の接続管６を中心として対称に配置するようにするのが望ましい。
【００２７】
また、基台２の上面には第二の突起１３が突設してあり、受け台５の本体板３６の外周部の裏面には基台２の側へ向けて足部１４が突出して設けてある。このものにあって、受け台５を所定の位置に回転させて図２のように切欠部１１と第一の突起１２が上下に対向するときに、足部１４と第二の突起１３が上下に対向せず、また受け台５を他の所定の位置に回転させて切欠部１１と第一の突起１２が上下に対向しないときには、足部１４と第二の突起１３が上下に対向するように、足部１４と第二の突起１３を配置するようにしてある。従って、受け台５を所定の位置に回転させて図２のように切欠部１１と第一の突起１２を上下に対向させるようにした状態では、足部１４と第二の突起１３も上下に対向しないので、受け台５は基台２に近接する側への移動が可能であり、また受け台５を他の所定の位置に回転させて切欠部１１と第一の突起１２が上下に対向しないようにした状態では、足部１４と第二の突起１３も上下に対向するので、第一の突起１２が受け台５の裏面に当接すると同時に足部１４と第二の突起１３も当接し、受け台５は基台２に近接する側へ移動することが不能になる。このように、第二の突起１３と足部１４によっても上記のロック手段を形成することができるものである。
【００２８】
尚、この足部１４を受け台５の外周部の複数箇所に設けると共に第二の突起１３を足部１４に対応して基台２の複数個所に設けるようにし、この複数の足部１４と第二の突起１３をそれぞれ受け台５の接続管６を中心として対称に配置するようにするのが望ましい。
【００２９】
また受け台５に設けた上記の足部１４の先端部の外面には係合部１５が突設してある。基台２の上面には受け台５の本体板３６の一部を囲むように平面弧状の壁片３８が突出してあり、壁片３８の上端に内方へ庇状に張り出して係合受け片３９が設けてある。そして係合片１５は係合受け片３９の下面側に位置しており、受け台５を下方へ押圧する力が解除されてコイルバネ１０で基台２から離間する方向に弾撥付勢されても、係合片１５が係合受け片３９に係合することによって、受け台５が基台２から離間する方向の移動が規制され、流入管７への接続管６の嵌合が外れて受け台５が基台２から飛び出して離脱してしまうことを防ぐことができるものである。係合受け片３９は、受け台５が基台２の側へ移動可能な位置に回転させたときも、受け台５が基台２の側へ移動不能な位置に回転させたときも、いずれのときにも係合片１５が係合する範囲で設けてあり、常時、受け台５が基台２から離脱することを防ぐことができるようにしてある。
【００３０】
またハウジング３３内において基台２に対向する天井部には流量センサ２１に連通する吐出配管４１が設けてあり、吐出配管４１の一端に接続口４２が受け台５の側へ向けて下方に開口して形成してある。
【００３１】
一方、浄水カートリッジ４は中空糸膜４４を内蔵する分離膜式カートリッジ４５と活性炭４６を内蔵する非分離膜式カートリッジ４７を離脱自在に接合して形成されるものであり、内周に入口８を形成する円筒状の開口突片４８が下端部に設けてあると共に、内周に排出口２０を形成する円筒状の開口突片４９が上端部に設けてある。
【００３２】
しかして、アルカリイオン整水器のハウジング３３内に浄水カートリッジ４を取り付けるにあたっては、まず、つまみ部１６をつまんで受け台５を図２の矢印のように接続筒６を軸として回転させ、切欠部１１と第一の突起１２が上下に対向すると共に足部１４と第二の突起１３が上下に対向しないようにして、受け台５を移動可能な位置にする。次に、受け台５を下方へ押し込んで、コイルバネ１０の弾撥力に抗して基台２に近接させる方向へ受け台５を移動させ、この状態で浄水カートリッジ４をハウジング３３内に入れ、浄水カートリッジ４の下端部の開口突片４８を受け台５の接続管６の突出する上端部の外周に嵌合させる。そして浄水カートリッジ４の上端部の開口突片４９を吐出配管４１の接続口４２の下側に配置した後、受け台５をコイルバネ１０の弾撥力によって上方へ移動させ、開口突片４９を接続口４２の外周に嵌合させる。このようにして、浄水カートリッジ４を受け台５の接続管６と吐出配管４１の間に保持することでき、浄水カートリッジ４の開口突片４８の内周の入口８を接続筒６の出口９と接続すると共に、浄水カートリッジ４の開口突片４９の内周の排出口２０を吐出配管４１の接続口４２に接続した状態で、浄水カートリッジ４をハウジング３３内に取り付けることができるものである。
【００３３】
上記のようにして浄水カートリッジ４をハウジング３３内に取り付けた後、つまみ部１６をつまんで受け台５を回転させ、切欠部１１と第一の突起１２が上下に対向しないと共に足部１４と第二の突起１３が上下に対向する位置にする。受け台５がこの位置になると、第一の突起１２が受け台５の裏面に当接すると共に、第二の突部１３に足部１４が当接するので、受け台５は下方へ移動が不可能になる。このように受け台５をこの位置に回転させて基台２に近接する方向へ移動が不能な状態にすることによって、浄水カートリッジ４が受け台５の接続管６と吐出配管４１の間から外れることがなくなるものであり、受け台５が下動して浄水カートリッジ４が不用意に外れるようなことを防ぐことができるものである。
【００３４】
このように、第一の突起１２を受け台５の裏面に当接させると共に、足部１４を第二の突部１３に当接させることによって、受け台５が基台２に近接する方向へ移動不能な状態にするにあたって、第一の突起１２は基台２に複数設けてあり、また第二の突起１３は基台２に複数設けてあると共に足部１４は受け台５に複数設けてあり、しかもこれら複数の第一の突起１２や、第二の突起１３、足部１４を受け台５の接続管６を中心として対称に配置してある。従って、第一の突起１２は接続管６を中心として対称の複数位置で受け台５の裏面に当接し、また第二の突起１３と足部１４は接続管６を中心として対称の複数位置で当接することになり、受け台５が基台２に近接移動するのを阻止する力を受け台５に均一に作用させることができ、受け台５を安定して受け止めることができるものであり、浄水カートリッジ４の交換の際の受け台５の動きが滑らかになって、作業性が良くなると共に、受け台５の接続管６と浄水カートリッジ４の開口突片４８との嵌合の水密性が高まるものである。
【００３５】
ここで、受け台５の接続管６は、図１に示すように、流入管７の外周に嵌合されると共に浄水カートリッジ４の開口突片４８の内周に差し込み嵌合された状態になっており、水を流したときに水圧が接続管６の上端に作用して、受け台５にコイルバネ１０の付勢方向と逆方向の力が働く。従って通水時の水圧で受け台５が下方へ押し下げられて浄水カートリッジ４の開口突片４８の内周から接続管６が抜けて水漏れが発生するおそれがある。しかし上記のように浄水カートリッジ４をハウジング３３内に取り付けた後、受け台５を回転させて下方へ移動不可能な位置にしておくことによって、受け台５が水圧で押し下げられて水漏れが発生するようなことを防ぐことができるものである。
【００３６】
次に、浄水カートリッジ４をハウジング３３内から取り外す場合には、受け台５を逆向きに回転させて下方へ移動可能な位置にし、受け台５を下方へ押し下げながら浄水カートリッジ４を下方へ移動させ、吐出配管４１の接続口４２から浄水カートリッジ４の開口突片４９を離脱させた後、受け台５の接続管６から浄水カートリッジ４の開口突片４８を抜くことによって、行なうことができるものである。
【００３７】
上記のようにして浄水カートリッジ４を取りつけたアルカリイオン整水器で水処理を行なうにあたっては、水道の蛇口など給水源５１と原水流入口１とをホース等で接続し、水道水などの原水を原水流入口１から流入管７及び接続管６の出口９を通じて浄水カートリッジ４内に入口８から流入させる。浄水カートリッジ４に流入した原水は、活性炭４６で濾過されて残留塩素、カビ臭、トリハロメタン、農薬等の有害物質が吸着除去され、次いで中空糸膜４４を通過することにより濾過されて微細な濁りや細菌等が除去される。このように原水を浄水カートリッジ４内を通過させることによって、原水が清浄化処理されて浄水が生成されるものである。そして生成された浄水は、流量センサ２１を経てカルシウム添加筒２２に流入し、カルシウム剤が溶解付与された後、流入口２８から電解槽３１に流入される。電解槽３１に流入した浄水は電気分解を受け、陽極室２４で酸性にイオン化された水が生成されると共に陰極室２５でアルカリ性にイオン化された水が生成され、これらアルカリ性にイオン化された水や酸性にイオン化された水は、吐水パイプ３から吐水されて使用に供されると共に、排水パイプ３２から排出される。通常は、アルカリ性にイオン化された水が吐水パイプ３から吐水されて使用に供され、酸性にイオン化された水は排水パイプ３２から排出される。
【００３８】
上記のようにアルカリイオン整水器を使用するにつれて、浄水カートリッジ４の中空糸膜４４が目詰まりして濾過流量が低下すると、アルカリイオン整水器から吐出される浄水や電解水の流量が低下する。そこでこの流量の低下を流量センサ２１が検知し、ハウジング３３の上面のＬＥＤなどの表示灯５２が点灯し、浄水カートリッジ４の交換時期を知らせるようになっている。また浄水カートリッジ４の活性炭４６は所定量の水を処理すると寿命がきて浄化性能が低下するので、処理水量を積算カウントしておき、処理水量が所定水量にまで達すると、ハウジング３３の上面のＬＥＤなどの表示灯５３が点灯し、浄水カートリッジ４の交換時期を知らせるようになっている。
【００３９】
以上の実施の形態では、本発明の水処理装置の一例としてアルカリイオン整水器を挙げたが、本発明は浄水カートリッジを用いて浄水処理を行なうものであれば特に制限されることなく適用できるものであり、例えば浄水のみを行なう浄水器、浴槽水を循環浄化させる浴水処理装置などに適用することもできるものである。
【００４０】
【発明の効果】
上記のように本発明の請求項１に係る水処理装置は、水道水などの原水が流入する原水流入口が接続される基台と、清浄化された水を吐水する吐水パイプと、原水流入口と吐水パイプとの間の流路に着脱自在に配置され原水を清浄化する浄水カートリッジとを具備する水処理装置において、基台に受け台を近接離間する方向に移動自在で且つ離間方向へ付勢手段により付勢した状態で配設すると共に受け台に設けた接続管に基台の原水流入口と連通する流入管を水密的且つスライド自在に接続し、受け台に浄水カートリッジを配置して浄水カートリッジの入口を受け台の接続管の出口に脱着自在に接続するようにしたので、付勢手段で付勢される受け台の接続管を浄水カートリッジの入口に接続することによって、浄水カートリッジの取り付けを行なうことができ、浄水カートリッジを取り付ける構造を簡単化することができるものであり、浄水カートリッジの交換が容易で使い勝手が良くなると共に、構造の簡単化によって小型化が可能になるものである。
また、受け台が接続管を軸として回転自在であり、所定の回転位置において受け台は基台の側への移動が可能になると共に、他の所定の回転位置において受け台は基台の側への移動が不能になるように、ロック手段を具備するので、浄水カートリッジを取り付けた後に、受け台を回転させて基台の側へ移動が不能になる位置にすることによって、受け台が不用意に移動して浄水カートリッジの入口への接続管の接続が外れることを防止でき、長期間安心して使用することができるものである。
【００４１】
また請求項２の発明は、付勢手段が円錐圧縮コイルバネであるので、円錐圧縮コイルバネはコイル状に巻いたバネ素線のコイル径の小さいものがコイル径の大きいものの内側に入り込むように圧縮され、圧縮されて最も縮んだ状態ではバネ素線の径の厚みにまでなるものであり、基台と受け台の間のコイルバネを納めるスペースを小さくすることができ、浄水装置を小型化することが容易になるものである。
【００４２】
また請求項３の発明は、受け台から突出する接続管の外周でコイルバネの一端部が位置決めされているので、コイルバネと受け台とが位置ずれすることがなくなり、浄水カートリッジを脱着する際の受け台の上下移動が滑らかになって、浄水カートリッジの脱着の作業性が良くなるものである。
【００４３】
また請求項４の発明は、基台に設けた位置決め部でコイルバネの他端部が位置決めされているので、コイルバネが基台に対して位置ずれすることがなくなり、浄水カートリッジを脱着する際の受け台の上下移動が滑らかになって、浄水カートリッジの脱着の作業性が良くなるものである。
【００４５】
また請求項５の発明は、受け台に設けた切欠部と、受け台が所定の回転位置では切欠部に挿通自在であると共に受け台が他の所定の回転位置では受け台の裏面に当接するように基台に設けた第一の突起とで、ロック手段を形成したので、切欠部と第一の突起という簡単な構成でロック手段を形成することができ、ロック手段の占めるスペースを小さくして小型化が容易になるものである。
【００４６】
また請求項６の発明は、基台に設けた第二の突起と、受け台が所定の回転位置では第二の突起の位置に対向しないと共に受け台が他の所定の回転位置では第二の突起に対向するように受け台に突設した足部とで、ロック手段を形成したので、第二の突起と足部という簡単な構成でロック手段を形成することができ、ロック手段の占めるスペースを小さくして小型化が容易になるものである。
【００４７】
また請求項７の発明は、受け台に基台と係合して基台から離間する方向への移動を規制する係合部を設けたので、係合部による位置規制で受け台が基台から不用意に脱落することを防止することができ、安全に使用することができるものである。
【００４８】
また請求項８の発明は、足部に係合部を設けたので、ロック手段と規制手段を一つの部材に形成することができ、構造を簡単化して小型化が容易になるものである。
【００４９】
また請求項９の発明は、第一の突起を基台に複数設け、この複数の第一の突起を受け台の接続管を中心として対称に配置したので、第一の突起は接続管を中心として対称の複数位置で受け台の裏面に当接して受け台に均一に作用させることができ、受け台を安定して受け止めることができるものであり、浄水カートリッジの交換の際の受け台の動きが滑らかになって、作業性が良くなるものである。
【００５０】
また請求項１０の発明は、第二の突起を基台に複数設けると共に足部を受け台に複数設け、この複数の第二の突起と足部をそれぞれ受け台の接続管を中心として対称に配置したので、第二の突起と足部は接続管を中心として対称の複数位置で当接し、受け台を安定して受け止めることができるものであり、浄水カートリッジの交換の際の受け台の動きが滑らかになって、作業性が良くなるものである。
【００５１】
また請求項１１の発明は、受け台に、受け台を回転操作するためのつまみ部を設けたので、受け台を回転させる操作をこのつまみ部をつまんで行なうことができ、作業性が良くなるものである。
【図面の簡単な説明】
【図１】本発明の実施の形態の一例におけるハウジング内部の断面図である。
【図２】同上のハウジングの底部を示す平面図である。
【図３】同上のアルカリイオン整水器の外観を示す斜視図である。
【図４】同上のアルカリイオン整水器の構成を示す概略図である。
【符号の説明】
１  原水流入口
２  基台
３  吐水パイプ
４  浄水カートリッジ
５  受け台
６  接続管
７  流入管
８  入口
９  出口
１０  コイルバネ
１１  切欠部
１２  第一の突起
１３  第二の突起
１４  足部
１５  係合部
１６  つまみ部
１７  位置決め部
【図１】
0003783506.tif 000002
【図２】
0003783506.tif 000003
【図３】
0003783506.tif 000004
【図４】
0003783506.tif 000005